(57)【要約】【課題】検出電極の装着電極部と基準電極との間にリーク電流が生じることを防止して、ガス検出の精度を向上させることができるガスセンサを提供する。【解決手段】ガスセンサは、センサ素子２を備えており、センサ素子２は、有底筒状の固体電解質体３、固体電解質体３の外側面に設けられた検出電極４Ａ、及び固体電解質体３の内側面に設けられた基準電極を有する。センサ素子２の検出電極４Ａは、軸方向Ｌの先端側Ｌ１の位置に設けられた検知電極部４１と、軸方向Ｌの基端側Ｌ２の位置に設けられた装着電極部４３と、検知電極部４１と装着電極部４３とを繋ぐ位置に設けられたリード電極部４２とを有する。固体電解質体３の筒部３１と装着電極部４３及びリード電極部４２との間には、絶縁層２２が設けられている。【選択図】図２
2018185289.tif 000002
【特許請求の範囲】
【請求項１】
筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられている、ガスセンサ。
【請求項２】
前記基準電極に接触する前記基準ガスと、前記検出電極に接触する前記検出ガスとの酸素濃度の差によって、前記固体電解質体を介して前記検出電極と前記基準電極との間に生じる起電力を検出するよう構成されている、請求項１に記載のガスセンサ。
【請求項３】
前記固体電解質体の前記筒部の外側面には、少なくとも前記検出電極の前記検知電極部の全体を覆い、前記検出ガスの拡散を制限する拡散抵抗層（２１）が設けられており、
前記検出電極と前記基準電極との間に電圧が印加された状態において、前記固体電解質体を介して前記検出電極と前記基準電極との間に生じる限界電流を検出するよう構成されている、請求項１に記載のガスセンサ。
【請求項４】
前記絶縁層における前記軸方向の基端側の端部は、前記装着電極部における前記軸方向の基端側の端部よりも基端側まで設けられて、前記筒部の外側面に露出しており、かつ、前記筒部の前記軸方向の基端側から先端側に向けて前記筒部の外周に装着される前記端子金具を案内するよう、前記筒部の前記軸方向の基端側へ行くほど前記中心軸線を中心とする径方向（Ｒ）の厚みが縮小するテーパ状表面（２２１）を有する、請求項１〜３のいずれか１項に記載のガスセンサ。
【請求項５】
前記中心軸線に対する前記テーパ状表面の傾斜角度は、６０°以下である、請求項４に記載のガスセンサ。
【請求項６】
前記絶縁層の前記軸方向における基端側の端部（２２２）は、前記筒部の外側面から前記筒部の基端側の端面（３１１）まで連続して設けられている、請求項１〜３のいずれか１項に記載のガスセンサ。
【請求項７】
前記絶縁層における、前記筒部と前記装着電極部及び前記リード電極部との間に位置する部位の最小厚みは、４μｍ以上である、請求項１〜６のいずれか１項に記載のガスセンサ。
【請求項８】
前記固体電解質体は、ジルコニアを含有し、
前記基準電極及び前記検出電極は、貴金属を含有し、
前記絶縁層は、酸化アルミニウム、スピネル及び絶縁性ガラスのうちの少なくとも１種類以上を含有する、請求項１〜７のいずれか１項に記載のガスセンサ。
【請求項９】
前記ガスセンサは、前記検出ガスとしての排ガスが流れる、内燃機関（８）の排気管（８１）内に配置されるものであり、
前記排気管内には、１つの触媒（８２Ａ）、又は前記排ガスの流れの方向に並んで複数の触媒（８２Ａ，８２Ｂ）が配置されており、
前記ガスセンサは、少なくとも１つの前記触媒よりも、前記排気管内の前記排ガスの流れの下流側に配置されるものである、請求項１〜８のいずれか１項に記載のガスセンサ。
【発明の詳細な説明】
【技術分野】
【０００１】
本発明は、固体電解質体に電極が設けられたセンサ素子を有するガスセンサに関する。
【背景技術】
【０００２】
内燃機関の排気管に配置されるガスセンサは、排気管内を流れる排ガスを検出ガスとし、この検出ガスと大気等の基準ガスとの酸素濃度の差等を利用して、ガス検出を行う。ガスセンサには、排ガスの組成から求められる内燃機関の空燃比が、理論空燃比に対して燃料リッチ側にあるか燃料リーン側にあるかを検出する酸素センサとしての用途、排ガスから求められる内燃機関の空燃比を定量的に検出する空燃比センサとしての用途等がある。
【０００３】
ガスセンサにおいては、有底筒状の固体電解質体の内側面及び外側面に電極を配置した有底筒状のセンサ素子、又は板状の固体電解質体の両面に電極を配置した板状のセンサ素子が用いられる。そして、ガスセンサを酸素センサとして用いる場合には、検出ガスと基準ガスとの酸素濃度の差に応じて、固体電解質体を介する一対の電極の間に生じる起電力を検出している。また、ガスセンサを空燃比センサとして用いる場合には、一対の電極の間に電圧を印加しておき、検出ガスの酸素濃度に応じて、固体電解質体を介する一対の電極の間に流れる電流を検出している。
【０００４】
有底筒状のセンサ素子おける、検出ガスに晒される検出電極は、固体電解質体における先端側部分の全周に形成され、ヒータの発熱部によって目標とする温度に加熱される検知部と、検知部から基端側に引き出されたリード部とを有する形状に形成することが多い。そして、検知部のみにおいて、固体電解質体を介する酸素の移動が生じるようにするため、リード部と固体電解質体との間に、絶縁層を設けることが知られている。
【０００５】
このようなセンサ素子としては、例えば、特許文献１に記載された酸素センサがある。この酸素センサにおいては、固体電解質体と検出電極のリード部との間に、絶縁体による絶縁層が設けられており、ガス検出を行う際に機能する検出電極の面積を規定している。
【先行技術文献】
【特許文献】
【０００６】
【特許文献１】特開平６−２０１６４１号公報
【発明の概要】
【発明が解決しようとする課題】
【０００７】
ところで、発明者らの鋭意研究の結果、センサ素子の基端側部分が４００℃以上の高温になる環境下においては、ガスセンサのセンサ出力が本来は理論空燃比の出力になる検出ガスの組成の状態においても、このセンサ出力にずれが生じ、このセンサ出力が理論空燃比相当の出力にならない場合があることが判明した。この原因は、センサ素子の基端側部分が高温になったことにより、センサ素子の基端側部分における固体電解質体、検出電極のリード部及び基準電極が活性化し、センサ素子の基端側部分に存在する大気等の基準ガス中の酸素が固体電解質体を移動して、検出電極のリード部と基準電極との間にリーク電流が生じたためであることが分かった。特に、検出電極のリード部における、端子金具が装着された部分においてリーク電流が生じていることが分かった。
【０００８】
特許文献１等においては、検出ガスに晒される検出電極の部分又はリード部について、絶縁層を設けることが行われている。しかし、センサ素子における先端側部分は検出ガスに晒される一方、センサ素子における基端側部分はハウジングに固定されるために、検出ガスには晒されない。特許文献１における絶縁層は、ガス検出を行う際に機能する検出電極の面積を規定するために設けている。そのため、絶縁層は、検出ガスに晒されない部分であって、端子金具が装着されるリード部の基端側部分にまで設けることは考えられていない。
【０００９】
本発明は、かかる課題に鑑みてなされたもので、検出電極の装着電極部と基準電極との間にリーク電流が生じることを防止して、ガス検出の精度を向上させることができるガスセンサを提供しようとして得られたものである。
【課題を解決するための手段】
【００１０】
本発明の一態様は、筒状の筒部（３１）の先端部が曲面状の底部（３２）によって閉塞された有底筒状の固体電解質体（３）と、
少なくとも前記筒部の外側面（３０１）に設けられて、前記固体電解質体の外側に導かれる検出ガス（Ｇ）に晒される検出電極（４Ａ）と、
少なくとも前記筒部の内側面（３０２）に設けられて、前記固体電解質体の内側に導かれる基準ガス（Ｇ）に晒される基準電極（４Ｂ）と、を有するセンサ素子（２）を備えるガスセンサ（１）において、
前記検出電極は、
前記筒部の中心軸線（Ｏ）に沿った軸方向（Ｌ）の先端側の位置において、前記中心軸線を中心とする周方向（Ｃ）の全周又は一部に設けられた検知電極部（４１）と、
前記軸方向の基端側の位置において、前記周方向の全周又は一部に設けられ、前記筒部の外周に装着された端子金具（７１）と接触する装着電極部（４３）と、
前記検知電極部と前記装着電極部とを繋ぐ位置において、前記周方向の一部に設けられ、前記装着電極部に比べて前記周方向における形成範囲が狭いリード電極部（４２）と、を有し、
前記固体電解質体の前記筒部と前記装着電極部及び前記リード電極部との間には、前記固体電解質体と前記装着電極部及び前記リード電極部との間を絶縁する絶縁層（２２）が設けられている、ガスセンサにある。
【発明の効果】
【００１１】
前記ガスセンサにおいては、検出電極におけるリード電極部と固体電解質体との間に絶縁層を設けるだけでなく、検出電極における、端子金具が装着される部位である装着電極部と固体電解質体との間にまで絶縁層を設けている。これにより、センサ素子の基端側部分が４００℃以上の高温に加熱されるような場合において、固体電解質体が活性化され、センサ素子の基端側部分に接触する基準ガスにおける酸素の移動によって、検出電極の装着電極部と基準電極との間にリーク電流が生じることを防止することができる。
【００１２】
そのため、ガスセンサを空燃比センサとして用いる場合には、センサ素子の基端側部分が４００℃以上の高温環境下に晒されるときでも、理論空燃比の近傍において、センサ出力としての出力電流にオフセット電流が含まれないようにすることができる。また、ガスセンサを酸素センサとして用いる場合には、センサ素子の基端側部分が４００℃以上の高温環境下に晒されるときでも、センサ出力としての出力電圧に誤差電圧が含まれないようにすることができる。
【００１３】
それ故、前記ガスセンサによれば、検出電極の装着電極部と基準電極との間にリーク電流が生じることを防止して、ガス検出の精度を向上させることができる。
【００１４】
なお、本発明の一態様において示す各構成要素のカッコ書きの符号は、実施形態における図中の符号との対応関係を示すが、各構成要素を実施形態の内容のみに限定するものではない。
【図面の簡単な説明】
【００１５】
【図１】実施形態１にかかる、ガスセンサの断面を示す説明図。
【図２】実施形態１にかかる、センサ素子における検出電極の形成状態を示す説明図。
【図３】実施形態１にかかる、センサ素子の先端部の断面を示す説明図。
【図４】実施形態１にかかる、内燃機関の排気管にガスセンサを配置した状態を示す説明図。
【図５】実施形態１にかかる、他の検出方式に用いられるセンサ素子の先端部の断面を示す説明図。
【図６】実施形態１にかかる、他のセンサ素子における検出電極の形成状態を示す説明図。
【図７】実施形態１にかかる、他のセンサ素子の先端部の断面を示す説明図。
【図８】実施形態２にかかる、センサ素子に端子金具を装着する状態を示す斜視図。
【図９】実施形態２にかかる、センサ素子に端子金具を装着する状態の断面の一部を拡大して示す説明図。
【図１０】実施形態３にかかる、センサ素子に端子金具を装着する状態の断面の一部を拡大して示す説明図。
【図１１】確認試験１にかかる、センサ素子の温度と空燃比の出力シフト量との関係を示すグラフ。
【図１２】確認試験２にかかる、絶縁層の厚みと空燃比の出力シフト量との関係を示すグラフ。
【図１３】確認試験３にかかる、センサ素子の温度と出力電圧のシフト量との関係を示すグラフ。
【図１４】確認試験４にかかる、絶縁層の厚みと出力電圧のシフト量との関係を示すグラフ。
【図１５】確認試験５にかかる、テーパ状表面の傾斜角度と絶縁層における欠陥の発生数との関係を示すグラフ。
【発明を実施するための形態】
【００１６】
前述したガスセンサにかかる好ましい実施形態について、図面を参照して説明する。
＜実施形態１＞
本形態のガスセンサ１は、図１〜図３に示すように、センサ素子２を備えており、センサ素子２は、有底筒状の固体電解質体３、検出電極４Ａ及び基準電極４Ｂを有する。固体電解質体３は、活性化温度においてイオン伝導性を有するものであり、筒状の筒部３１と、筒部３１の先端部を閉塞する曲面状の底部３２とを有する。検出電極４Ａは、筒部３１の外側面３０１に設けられており、固体電解質体３の外側に導かれる検出ガスＧに晒される電極である。基準電極４Ｂは、筒部３１及び底部３２の内側面３０２に設けられており、固体電解質体３の内側に導かれる基準ガスＡに晒される電極である。
【００１７】
検出電極４Ａは、検知電極部４１、装着電極部４３及びリード電極部４２を有する。検知電極部４１は、図２に示すように、筒部３１の中心軸線Ｏに沿った軸方向Ｌの先端側Ｌ１の位置において、中心軸線Ｏを中心とする周方向Ｃの全周に設けられている。装着電極部４３は、図１及び図２に示すように、軸方向Ｌの基端側Ｌ２の位置において、周方向Ｃの一部に設けられており、筒部３１の外周に装着された端子金具７１と接触する。リード電極部４２は、図２に示すように、検知電極部４１と装着電極部４３とを繋ぐ位置において、周方向Ｃの一部に設けられており、装着電極部４３に比べて周方向Ｃにおける形成範囲が狭くなっている。
【００１８】
固体電解質体３の筒部３１と装着電極部４３及びリード電極部４２との間には、図２及び図３に示すように、固体電解質体３と装着電極部４３及びリード電極部４２との間を絶縁する絶縁層２２が設けられている。なお、図２、図５、図６、図８においては、分かりやすくするために、検出電極４Ａを斜線のハッチングを行って示し、絶縁層２２が表面に露出する部分をグレーチングのハッチングを行って示す。
【００１９】
実施形態１，２のセンサ素子２及びガスセンサ１においては、センサ素子２の中心軸線Ｏに沿った方向を軸方向Ｌといい、センサ素子２の中心軸線Ｏの周りの方向を周方向Ｃといい、センサ素子２の中心軸線Ｏから放射状に広がる方向を径方向Ｒという。また、センサ素子２及びガスセンサ１においては、センサ素子２の底部３２が設けられた側を先端側Ｌ１といい、先端側Ｌ１とは反対側を基端側Ｌ２という。
【００２０】
以下に、本形態のガスセンサ１について詳説する。
（内燃機関８）
図４に示すように、ガスセンサ１は、車両の内燃機関（エンジン）８から排気される排ガスが流れる排気管８１内に配置される。ガスセンサ１は、排気管８１内を流れる排ガスを検出ガスＧとするとともに、大気を基準ガスＡとして、ガス検出を行うものである。本形態のガスセンサ１は、排ガスの組成から求められる内燃機関８の空燃比を求める空燃比センサとして用いられる。空燃比センサは、理論空燃比と比べて空気に対する燃料の割合が多い燃料リッチの状態から、理論空燃比と比べて空気に対する燃料の割合が少ない燃料リーンの状態まで定量的に連続して空燃比を検出することができるものである。
【００２１】
図３に示すように、空燃比センサにおいては、固体電解質体３の一方の表面に設けられた、検出ガスＧに晒される検出電極４Ａと、固体電解質体３の他方の表面に設けられた、基準ガスＡに晒される基準電極４Ｂとの間に、限界電流特性を示すための所定の電圧が電圧印加回路１１によって印加される。また、この電圧が印加された状態において、固体電解質体３を介して検出電極４Ａと基準電極４Ｂとの間に生じる限界電流が、電流検出回路１２によって検出される。言い換えれば、検出ガスＧとしての排ガスの酸素濃度が変化したときに、検出電極４Ａと基準電極４Ｂとの間における酸素イオン（Ｏ2-）の移動量及び移動方向が変化し、燃料リッチ側及び燃料リーン側の空燃比が、所定の検出レンジ内において定量的に検出される。なお、図１に示すように、電圧印加回路１１及び電流検出回路１２は、センサコントロールユニット等の制御装置１０内に構築されている。
【００２２】
空燃比センサにおいては、検出電極４Ａと基準電極４Ｂとの間に電圧が印加されていることにより、空燃比が燃料リーン側にあるときには、固体電解質体３を介して、検出電極４Ａから基準電極４Ｂへ酸素イオン（Ｏ2-）が移動する。一方、空燃比が燃料リッチ側にあるときには、検出電極４Ａにおいて未燃ガスが化学反応することに伴い、固体電解質体３を介して、基準電極４Ｂから検出電極４Ａへ酸素イオン（Ｏ2-）が移動する。
【００２３】
なお、図５に示すように、ガスセンサ１は、排ガスの組成から求められる内燃機関８の空燃比が、燃料リッチ側にあるか燃料リーン側にあるかをＯＮ−ＯＦＦによって判定する酸素センサとして用いることもできる。酸素センサは、基準電極４Ｂに接触する基準ガスＡとしての大気と、検出電極４Ａに接触する検出ガスＧとしての排ガスとの酸素濃度の差によって、固体電解質体３を介して検出電極４Ａと基準電極４Ｂとの間に生じる起電力を起電力検出回路１３によって検出するものである。なお、起電力検出回路１３は、センサコントロールユニットに形成される。また、酸素センサは、検出電極４Ａと基準電極４Ｂとの間に生じる起電力によって排ガスの酸素濃度を定量的に検出することも可能である。
【００２４】
ガスセンサ１は、内燃機関８における空燃比を、排気管８１内に配置された三元触媒の触媒活性が効果的に発揮される理論空燃比の近傍に維持するために用いられる。ガスセンサ１は、排気管８１における三元触媒の配置位置よりも、排ガスの流れの上流側の位置及び下流側の位置のいずれに配置することもできる。特に、本形態のガスセンサ１は、排気管８１内において、排ガスの温度がより低くなる下流側の位置に配置して用いることができる。
【００２５】
図４に示すように、本形態の排気管８１内には、排ガスの流れの方向に並ぶ２つの触媒８２Ａ，８２Ｂが配置されている。２つの触媒８２Ａ，８２Ｂは、上流側に位置する上流側触媒８２Ａ（Ｓ／Ｃ（Start  Converter）触媒ともいう。）と、上流側触媒８２Ａの下流側に位置する下流側触媒８２Ｂ（Ｕ／Ｆ（Under  Floor）触媒ともいう。）とからなる。本形態のガスセンサ１は、排気管８１内における上流側触媒８２Ａよりも、排ガスの流れの下流側の位置であって、排気管８１内における下流側触媒８２Ｂよりも、排ガスの流れの上流側の位置に配置されている。言い換えれば、本形態のガスセンサ１は、排気管８１内の排ガスの流れの方向における上流側触媒８２Ａと下流側触媒８２Ｂとの間の位置に配置されている。
【００２６】
また、排気管８１内における、上流側触媒８２Ａよりも上流側の位置には、別のガスセンサ１Ａが配置されている。この別のガスセンサは、空燃比センサとして機能するものである。そして、２つのガスセンサ１，１Ａを用いて排ガスの空燃比を検出し、ＥＣＵ（エンジン制御ユニット）は、２つのガスセンサ１，１Ａから受信する空燃比を利用して、吸気管における燃料噴射弁の開度を調整し、内燃機関８の空燃比の制御を行う。
【００２７】
なお、本形態のガスセンサ１は、排気管８１内における、上流側触媒８２Ａよりも上流側の位置に配置してもよい。また、一般的には、排気管８１内における、上流側触媒８２Ａよりも上流側の位置に空燃比センサが配置され、上流側触媒８２Ａよりも下流側の位置に酸素センサが配置される。
【００２８】
特に、排気管８１内における、より下流側の位置にガスセンサ１が配置されると、ガスセンサ１に接触する排ガスの温度がより低くなり、ガスセンサ１に凝縮水が衝突しやすくなる。本形態のセンサ素子２は、有底筒状（コップ状）の固体電解質体３を用いたものであり、排気管８１内に存在する凝縮水による被水割れが効果的に防止される。
【００２９】
（センサ素子２）
図２及び図３に示すように、センサ素子２の固体電解質体３は、ジルコニアを主成分とするものであり、希土類金属元素又はアルカリ土類金属元素によってジルコニアの一部を置換させた安定化ジルコニア又は部分安定化ジルコニアからなる。固体電解質体３は、イットリア安定化ジルコニア又はイットリア部分安定化ジルコニアから構成することができる。固体電解質体３は、所定の活性化温度において、酸素イオン（Ｏ2-）を伝導させるイオン伝導性を有するものである。検出電極４Ａ及び基準電極４Ｂは、酸素に対する触媒活性を示す貴金属としての白金を含有している。
【００３０】
固体電解質体３の底部３２は、半球面状に形成されており、固体電解質体３の筒部３１は、円筒状に形成されている。固体電解質体３の軸方向Ｌにおける、底部３２と反対側の位置には、固体電解質体３の内側に基準ガスＡを流入させることができる開口部３３が形成されている。筒部３１の軸方向Ｌにおける各部の外径は、ハウジング６１への取り付けを考慮して、適宜変化している。
【００３１】
センサ素子２の先端部には、少なくとも検出電極４Ａの検知電極部４１の全体を覆うように、セラミックスの多孔質体からなる保護層２１が設けられている。本形態の空燃比センサにおける保護層２１は、検出ガスＧとしての排ガスの拡散を制限する拡散抵抗層としての機能を有する。そして、検出電極４Ａと基準電極４Ｂとの間に所定の電圧が印加されたときに、保護層２１を通過する検出ガスＧの流量が制限され、検出ガスＧにおける酸素濃度に応じたセンサ出力が得られる。また、保護層２１は、検出電極４Ａの被毒及び被水を防止する機能も併せ持つ。また、拡散抵抗層としての保護層２１の外側に、検出電極４Ａの被毒及び被水を防止するための多孔質層を設けてもよい。
【００３２】
なお、ガスセンサ１を酸素センサとして用いる場合には、保護層２１は、主に検出電極４Ａの被毒及び被水を防止する機能を有する。この場合、保護層２１は、多孔質体の気孔率、組成等が異なる複数の層から形成されていてもよい。
【００３３】
図１及び図３に示すように、基準電極４Ｂは、固体電解質体３の内側面３０２の全体に設けられている。固体電解質体３の内側面３０２の基端側Ｌ２の部分には、基準電極４Ｂの基端側Ｌ２の部分に接触する状態で、内側端子金具７２が装着されている。本形態のガスセンサ１は空燃比センサとして用いられるため、基準電極４Ｂと検出電極４Ａとの間に印加される電圧によって、基準電極４Ｂ及び内側端子金具７２がプラス側となり、検出電極４Ａ及び端子金具７１がマイナス側となる。
【００３４】
なお、基準電極４Ｂは、検出電極４Ａと同様に部分電極化を図り、最も先端側Ｌ１に位置する検知電極部と、最も基端側Ｌ２に位置する装着電極部と、検知電極部と装着電極部とを繋ぐリード電極部とによって形成することもできる。
【００３５】
検出電極４Ａの検知電極部４１は、検出電極４Ａにおいて実質的に、空燃比の検出等のガス検出を行う部位である。言い換えれば、検出電極４Ａのうち、絶縁層２２を介さずに固体電解質体３の外側面３０１に直接設けられるのは、検知電極部４１のみである。そして、センサ素子２においては、ガス検出を行う精度を安定化させる、言い換えればガスセンサ１の出力のばらつきを低減するために、検知電極部４１の面積が規定されている。検知電極部４１は、センサ素子２の固体電解質体３の内側に配置されたヒータ５によって目標とする温度に加熱される。
【００３６】
検出電極４Ａのリード電極部４２は、固体電解質体３の周方向Ｃの１箇所に形成されている。リード電極部４２は、固体電解質体３の筒部３１の中心軸線Ｏ及び軸方向Ｌに平行に形成されている。言い換えれば、リード電極部４２の周方向Ｃの両側端は、軸方向Ｌに対して平行である。
【００３７】
検出電極４Ａの装着電極部４３は、固体電解質体３の外側面３０１の基端側Ｌ２の位置において、周方向Ｃに向けて形成されている。本形態の装着電極部４３は、固体電解質体３の外側面３０１の周方向Ｃの一部にのみ形成されている。
【００３８】
図３に示すように、センサ素子２の外側面３０１に設けられた絶縁層２２は、筒部３１と検知電極部４１との間には設けられていない。絶縁層２２は、底部３２の全体、筒部３１とリード電極部４２との間の全体、及び筒部３１と装着電極部４３との間の全体に設けられている。本形態の装着電極部４３は、センサ素子２の外側面３０１の基端位置までは設けられていない。装着電極部４３は、センサ素子２の外側面３０１の基端位置まで設けられていてもよい。
【００３９】
本形態においては、検知電極部４１の形成位置に絶縁層２２が設けられないようにし、底部３２、及び検知電極部４１よりも基端側の位置には、絶縁層２２を設ける。そして、検出電極４Ａは、検知電極部４１から、底部３２に設けられた絶縁層２２の外側面にまで連続して設けられている。これにより、電極４Ａの形成を容易にすることができる。底部３２の絶縁層２２の外側面に設けられた底部電極部４１１は、絶縁層２２があることによって酸素イオン（Ｏ2-）を伝導させる電極としては機能しない。
【００４０】
また、図６に示すように、検出電極４Ａの装着電極部４３は、周方向Ｃの全周に形成してもよい。また、検出電極４Ａの検知電極部４１は、必ずしも周方向Ｃの全周に形成しないことも可能である。また、図６及び図７に示すように、絶縁層２２は、検知電極部４１よりも基端側の位置にのみ設け、底部３２の外側面３０１には設けないようにすることができる。
【００４１】
図３に示すように、検出電極４Ａは、固体電解質体３の外側面３０１に電極材料のメッキ処理を行って形成したものであり、基準電極４Ｂは、固体電解質体３の内側面３０２に電極材料のメッキ処理を行って形成したものである。絶縁層２２は、固体電解質体３の外側面３０１に絶縁材料のペーストを塗布し、このペーストを固体電解質体３とともに焼結して形成したものである。絶縁層２２を形成する際には、固体電解質体３の外側面３０１における検知電極部４１の形成部位を、テープ等によってマスキングする。そして、この状態においてペーストを塗布し、テープ等を剥がすことにより、マスキングされた部位には絶縁層２２が形成されないようにすることができる。絶縁層２２は、酸化アルミニウム（Ａｌ2Ｏ3）、スピネル（ＭｇＡｌ2Ｏ4）及び絶縁性ガラスのうちの少なくとも１種類以上を含有する絶縁材料によって形成されている。この絶縁材料は、ガスセンサ１において一般的に使用されるものであり、高い比抵抗を有することにより、十分な絶縁効果が得られる。
【００４２】
本形態の絶縁層２２は、固体電解質体３の外側面３０１において、全体ができるだけ均一な厚みになるよう形成されている。絶縁層２２における、筒部３１とリード電極部４２との間、及び筒部３１と装着電極部４３との間に位置する部位の最小厚みは、４μｍ以上である。最小厚みとは、最も厚みが小さくなった部位の厚みのことをいう。この絶縁層２２の最小厚みが４μ未満になると、絶縁効果が十分に得られないおそれがある。絶縁層２２の厚みは、製造上の観点より、例えば１０μｍ以下とすることができる。
【００４３】
（ヒータ５）
図３に示すように、センサ素子２の固体電解質体３の内側には、固体電解質体３を加熱するためのヒータ５が配置されている。ヒータ５は、セラミックスの基材５１Ａ，５１Ｂと、基材５１Ｂに設けられた導体からなる発熱体５２とを有する。発熱体５２の先端部には、断面積が最も縮小し、発熱体５２に通電したときにジュール熱によって発熱する発熱部５２１が形成されている。
【００４４】
発熱部５２１は、発熱体５２における先端部において軸方向Ｌに蛇行する形状に形成されている。発熱部５２１は、検出電極４Ａの検知電極部４１の内周側に対向する位置に配置されており、検知電極部４１が目標とする温度になるよう、固定電解質体、基準電極４Ｂ及び検出電極４Ａを加熱するものである。ヒータ５は、心棒となる基材５１Ａの周りに、発熱体５２が設けられたシート状の基材５１Ｂを巻き付けて形成されている。
【００４５】
（ガスセンサ１の他の構成）
図１に示すように、ガスセンサ１は、センサ素子２及びヒータ５以外に、センサ素子２を保持するハウジング６１、ハウジング６１の先端側Ｌ１の部分に装着された先端側カバー６２、ハウジング６１の基端側Ｌ２の部分に装着された基端側カバー６３、センサ素子２の基端側Ｌ２の部分の外側面３０１に装着された端子金具７１、センサ素子２の基端側Ｌ２の部分の内側面３０２に装着された内側端子金具７２等を備える。
【００４６】
（ハウジング６１）
図１に示すように、ハウジング６１には、センサ素子２を保持するために、軸方向Ｌに向けて貫通する挿通穴６１１が形成されている。挿通穴６１１は、軸方向Ｌの先端側Ｌ１に位置する小径穴部６１２と、軸方向Ｌの基端側Ｌ２に位置して小径穴部６１２よりも拡径した大径穴部６１３とを有する。センサ素子２は、挿通穴６１１の小径穴部６１２内及び大径穴部６１３内に挿通され、センサ素子２と大径穴部６１３との隙間内に配置されるタルク粉末、スリーブ等のシール材６４を介して保持されている。
【００４７】
また、センサ素子２における最も外径が大きい部分であるフランジ部３４が小径穴部６１２の端部に係止されることにより、センサ素子２の挿通穴６１１から先端側Ｌ１への抜け出しが防止されている。ハウジング６１の軸方向Ｌの基端側Ｌ２の部分には、内周側に屈曲するかしめ部６１５が形成されている。そして、かしめ部６１５とフランジ部３４との間においてシール材６４が軸方向Ｌに圧縮されて、センサ素子２がハウジング６１に保持されている。センサ素子２の先端側Ｌ１の部分であって、特に検知電極部４１及びリード電極部４２が形成された部位は、ハウジング６１から軸方向Ｌの先端側Ｌ１に突出して配置されている。
【００４８】
（先端側カバー６２及び基端側カバー６３）
図１に示すように、ハウジング６１の軸方向Ｌの先端側Ｌ１の部分には、ハウジング６１から先端側Ｌ１に突出するセンサ素子２の部分を覆って、センサ素子２を保護するための先端側カバー６２が装着されている。先端側カバー６２は、排気管８１内に配置される。先端側カバー６２には、検出ガスＧを通過させるためのガス通過孔６２１が形成されている。先端側カバー６２は、二重構造のものとすることができ、一重構造のものとすることもできる。先端側カバー６２のガス通過孔６２１から先端側カバー６２内に流入する検出ガスＧとしての排ガスは、センサ素子２の保護層２１を通過して検出電極４Ａへと導かれる。
【００４９】
ハウジング６１の軸方向Ｌの基端側Ｌ２の部分には、基端側カバー６３が装着されている。基端側カバー６３は、排気管８１の外部に配置される。基端側カバー６３の一部には、基端側カバー６３内へ基準ガスＡとしての大気を導入するための導入孔６３１が形成されている。導入孔６３１には、液体を通過させない一方、気体を通過させるフィルタ６３２が配置されている。導入孔６３１から基端側カバー６３内に導入される基準ガスＡは、基端側カバー６３内の隙間を通過して、センサ素子２の内側面３０２における基準電極４Ｂへと導かれる。
【００５０】
図１に示すように、センサ素子２の基端側Ｌ２の部分の外側面３０１には、検出電極４Ａの装着電極部４３に接触する端子金具７１が装着されている。また、センサ素子２の基端側Ｌ２の部分の内側面３０２には、基準電極４Ｂの基端側Ｌ２の部分に接触する内側端子金具７２が装着されている。端子金具７１及び内側端子金具７２には、センサ素子２の検出電極４Ａ及び基準電極４Ｂを、外部の制御装置１０に電気的に接続するためのリード線６５が取り付けられている。リード線６５は、基端側カバー６３内に配置されたブッシュ６６によって保持されている。
【００５１】
（作用効果）
本形態のガスセンサ１においては、検出電極４Ａにおけるリード電極部４２と固体電解質体３の筒部３１との間に絶縁層２２を設けるだけでなく、検出電極４Ａにおける、端子金具７１が装着される部位である装着電極部４３と固体電解質体３の筒部３１との間にまで絶縁層２２を設けている。これにより、センサ素子２の基端側Ｌ２の部分が４００℃以上の高温に加熱されるような場合において、検出電極４Ａの装着電極部４３と基準電極４Ｂとの間にリーク電流が生じることを防止することができる。
【００５２】
そのため、ガスセンサ１を空燃比センサとして用いる場合には、センサ素子２の基端側Ｌ２の部分が４００℃以上の高温環境下に晒されるときでも、理論空燃比の近傍において、センサ出力としての出力電流にオフセット電流が含まれないようにすることができる。また、ガスセンサ１を酸素センサとして用いる場合には、センサ素子２の基端側Ｌ２の部分が４００℃以上の高温環境下に晒されるときでも、センサ出力としての出力電圧に誤差電圧が含まれないようにすることができる。
【００５３】
有底筒状の固体電解質体３を有するセンサ素子２においては、排ガスの温度が高温になったときに、センサ素子２の全体が高温になりやすい。このとき、基準電極４Ｂと検出電極４Ａとの間に微小なリーク電流が流れることが分かった。従来のガスセンサ１においては、微小なリーク電流がガスセンサ１の検出精度に及ぼす影響はそれほど問題視されてこなかった。しかし、近年のエミッション低減と低燃費をより促進する観点から、微小なリーク電流がガスセンサ１の検出精度に与える影響、特に微小な電流によってストイキ点（排ガスの空燃比が理論空燃比であることを検出する点）がずれることが問題視されるようになった。本形態のガスセンサ１は、このような近年、新たに発生してきた課題を解決するものである。
【００５４】
本形態の絶縁層２２は、検知電極部４１の形成面積を規定して、ガスセンサ１のセンサ出力のばらつきを抑えるだけでなく、大気等の基準ガスＡ中の酸素が固体電解質体３を移動することに基づくリーク電流をなくすために設けている。
ガスセンサ１においては、検出電極４Ａの検知電極部４１を含む、センサ素子２の先端側Ｌ１の部分における固体電解質体３が、酸素のイオン伝導を活性化する温度に加熱される。そして、センサ素子２の基端側Ｌ２の部分は、固体電解質体３が活性化する温度までは加熱されないことが多い。
【００５５】
しかし、内燃機関８における燃焼の仕方によって、排ガスの温度が高温になり、センサ素子２の基端側Ｌ２の部分における固体電解質体３が活性化する温度に加熱される場合も起こり得る。この場合には、検出電極４Ａ及び基準電極４Ｂの周辺に基準ガスＡ中の酸素が存在することにより、この酸素がイオン化して、検出電極４Ａから基準電極４Ｂへ固体電解質体３中を通過することが起こり得る。つまり、検出ガスＧとしての排ガスが到達しない、固体電解質体３の基端側Ｌ２の部分において、酸素のイオンが伝導することによって電流が生じることになる。この電流は、検出ガスＧの組成の変化に基づいて流れるものではなく、空燃比等の検出に誤差を生じさせるリーク電流となる。
【００５６】
ガスセンサ１を空燃比センサとして用いる場合には、検出電極４Ａと基準電極４Ｂとの間に、基準電極４Ｂがプラス側になるように電圧が印加されていることにより、イオン化した酸素が検出電極４Ａから基準電極４Ｂへ固体電解質体３中を通過して、リーク電流が生じることが起こり得る。また、ガスセンサ１を酸素センサとして用いる場合には、検出電極４Ａ及び端子金具７１に接触する基準ガスＡの酸素濃度と、基準電極４Ｂ及び内側端子金具７２に接触する基準ガスＡの酸素濃度とが若干異なることにより、イオン化した酸素が固体電解質体３中を通過して、リーク電流が生じることが起こり得る。
【００５７】
本形態のガスセンサ１においては、絶縁層２２の配置によって、このようなリーク電流の発生を防止することができる。それ故、本形態のガスセンサ１によれば、検出電極４Ａの装着電極部４３と基準電極４Ｂとの間にリーク電流が生じることを防止して、ガス検出の精度を向上させることができる。
【００５８】
＜実施形態２＞
本形態のセンサ素子２においては、検出電極４Ａのリード電極部４２及び装着電極部４３と固体電界質体の筒部３１との間に設ける絶縁層２２の形成の仕方に工夫をしている。
図８及び図９に示すように、絶縁層２２における軸方向Ｌの基端側Ｌ２の端部は、装着電極部４３における軸方向Ｌの基端側Ｌ２の端部よりも基端側Ｌ２まで設けられている。絶縁層２２の基端側Ｌ２の端部は、筒部３１の外側面３０１の最外殻部を構成しており、筒部３１の外側面３０１において露出している。また、絶縁層２２の基端側Ｌ２の端部は、筒部３１の基端側Ｌ２へ行くほど中心軸線Ｏを中心とする径方向Ｒの厚みが縮小するテーパ状表面２２１を有する。テーパ状表面２２１は、筒部３１の基端側Ｌ２から先端側Ｌ１に向けて筒部３１の外周に装着される端子金具７１の装着を案内する表面である。絶縁層２２における、基端側Ｌ２の端部を除く一般部は、均一な厚みになるよう固体電解質体３の外側面３０１に設けられている。
【００５９】
本形態においては、端子金具７１を固体電解質体３に装着する際に、端子金具７１を絶縁層２２の基端側Ｌ２の端部のテーパ状表面２２１に接触させることができる。そして、端子金具７１を、テーパ状表面２２１上を滑らせることができる。これにより、絶縁層２２の基端側Ｌ２の端部に端子金具７１が接触しても、この基端側Ｌ２の端部に剥離、欠け等が生じにくくすることができる。
【００６０】
本形態においては、絶縁層２２の基端側Ｌ２の端部におけるテーパ状表面２２１の全体が露出している。これ以外にも、テーパ状表面２２１の先端側Ｌ１の位置の表面には、装着電極部４３が設けられていてもよい。この場合には、テーパ状表面２２１の基端側Ｌ２の位置の表面のみが露出する。テーパ状表面２２１は、筒部３１の外側面３０１の最外殻部を構成することにより、端子金具７１と接触する表面となる。
【００６１】
図９に示すように、中心軸線Ｏに平行な軸方向Ｌに対するテーパ状表面２２１の傾斜角度θは、６０°以下である。このテーパ状表面２２１の傾斜角度θが６０°を超えると、絶縁層２２の基端側Ｌ２の端部に剥離、欠け等が生じるおそれがある。テーパ状表面２２１の傾斜角度θが小さくなると、絶縁層２２の基端側Ｌ２の端部の軸方向Ｌの長さが大きくなる。そのため、製造上の観点より、テーパ状表面２２１の傾斜角度θは、例えば、１５°以上とすることができる。
【００６２】
なお、絶縁層２２の基端側Ｌ２の端部にテーパ状表面２２１を形成する代わりに、絶縁層２２の基端側Ｌ２の角部に曲面を形成することもできる。この場合にも、絶縁層２２の剥離、欠け等が生じにくくすることができる。
【００６３】
本形態のガスセンサ１におけるその他の構成、作用効果等については、実施形態１の場合と同様である。また、本形態においても、実施形態１に示した符号と同一の符号が示す構成要素は、実施形態１の場合と同様である。
【００６４】
＜実施形態３＞
本形態のセンサ素子２においても、検出電極４Ａのリード電極部４２及び装着電極部４３と固体電界質体の筒部３１との間に設ける絶縁層２２の形成の仕方に工夫をしている。
図１０に示すように、本形態の絶縁層２２の軸方向Ｌにおける基端側Ｌ２の端部２２２は、筒部３１の外側面３０１から筒部３１の基端側Ｌ２の端面３１１まで連続して設けられている。筒部３１の基端側Ｌ２の角部に位置する絶縁層２２の角部２２３は、曲面状等に形成することが好ましい。絶縁層２２の端部２２２は、筒部３１の基端側Ｌ２の端面３１１の全体に設ける必要はない。絶縁層２２の端部２２２は、筒部３１の基端側Ｌ２の端面３１１の外周側位置に設けられており、筒部３１の基端側Ｌ２の端面３１１の中心側位置には設けられていない。
【００６５】
本形態の絶縁層２２は、固体電解質体３の筒部３１の外側面３０１に絶縁材料のペーストを塗布する際に、このペーストをロール転写法によって、筒部３１の基端側Ｌ２の端面３１１にまで塗布し、このペーストを固体電解質体３とともに焼結して形成して形成することができる。
本形態においても、実施形態２の場合と同様に、絶縁層２２の基端側Ｌ２の角部２２３に端子金具７１が接触しても、この基端側Ｌ２の角部２２３に剥離、欠け等が生じにくくすることができる。本形態のガスセンサ１におけるその他の構成、作用効果等については、実施形態１の場合と同様である。また、本形態においても、実施形態１に示した符号と同一の符号が示す構成要素は、実施形態１の場合と同様である。
【００６６】
本発明は、各実施形態のみに限定されるものではなく、その要旨を逸脱しない範囲においてさらに異なる実施形態を構成することが可能である。
【００６７】
＜確認試験１＞
本試験においては、センサ素子２の温度と、空燃比センサとして用いられるガスセンサ１のセンサ出力に生じる誤差との関係を、センサ素子２に絶縁層２２が設けられた実施形態１のガスセンサ１（試験品）と、センサ素子２に絶縁層２２が設けられていないガスセンサ（比較品）とについて確認した。図１１には、センサ素子２の温度［℃］を適宜変化させたときに、ガスセンサ１のセンサ出力にどれだけ誤差が生じたかを示す。
【００６８】
実施形態１のガスセンサ１は空燃比センサとして用いるため、センサ出力に生じる誤差は、空燃比の検出値からのオフセット量を示す出力シフト量［Ａ／Ｆ］（空燃比の変化量）とした。この出力シフト量とは、例えば、空燃比の検出値が、理論空燃比を示す１４．７と示されるはずのところ、１４．７よりも若干大きな値として示される場合の誤差量のことをいう。センサ素子２の温度は、センサ素子２の軸方向Ｌの先端側Ｌ１の部分から基端側Ｌ２の部分までの温度の平均値とした。また、絶縁層２２の一般部の膜厚は１０μｍとした。
【００６９】
同図に示すように、試験品のガスセンサ１においては、センサ素子２の温度が約２８０℃以上約５４０℃以下である高温の範囲において、センサ出力の出力シフト量はほぼ０（ゼロ）であることが分かった。一方、比較品のガスセンサにおいては、センサ素子２の温度が約４２０℃以上になると出力シフト量が発生し、センサ素子２の温度が高くなるほど、出力シフト量が増加することが分かった。この結果より、実施形態１の空燃比を検出するガスセンサ１により、センサ素子２の基準電極４Ｂと検出電極４Ａとの間に生じるリーク電流を抑え、センサ出力に、リーク電流によるオフセット誤差がほとんど生じないようにできることが分かった。
【００７０】
＜確認試験２＞
本試験においては、固体電解質体３の筒部３１の外側面３０１に設けられた絶縁層２２の厚みと、ガスセンサ１のセンサ出力に生じる誤差との関係を確認した。図１２には、絶縁層２２の厚み［μｍ］を適宜変化させたときに、実施形態１のガスセンサ１のセンサ出力にどれだけ誤差が生じたかを示す。実施形態１のガスセンサ１は空燃比センサとして用いるため、センサ出力に生じる誤差は、空燃比の検出値からのオフセット量を示す出力シフト量［Ａ／Ｆ］（空燃比の変化量）とした。
【００７１】
絶縁層２２の厚みは、テーパ状表面２２１が形成された絶縁層２２の基端側Ｌ２の端部を除く、絶縁層２２の一般部の厚みの平均値とした。この絶縁層２２の厚みは、絶縁層２２における、筒部３１とリード電極部４２との間、及び筒部３１と装着電極部４３との間に位置する部位の最小厚みを示す。センサ素子２の軸方向Ｌの先端側Ｌ１の部分から基端側Ｌ２の部分までの温度の平均値であるセンサ素子２の温度は、５５０℃とした。
【００７２】
同図に示すように、絶縁層２２の厚みが薄くなるほど、センサ出力の出力シフト量が大きくなることが分かる。そして、絶縁層２２の厚みが４μｍよりも薄くなると、出力シフト量が急激に増加していることが分かる。絶縁層２２の厚みが４μｍよりも薄くなると、固体電解質体３の表面に形成された凹凸の凸部が絶縁層２２の表面に出現し、絶縁層２２によって、固体電解質体３と検出電極４Ａの装着電極部４３との絶縁を十分に行えなくなるためであると考える。そのため、絶縁層２２による絶縁効果を十分に得るためには、絶縁層２２の最小厚みを４μｍ以上とすることが好ましいと言える。
【００７３】
＜確認試験３＞
本試験においては、センサ素子２の温度と、酸素センサとして用いられるガスセンサ１のセンサ出力に生じる誤差との関係を、センサ素子２に絶縁層２２が設けられた実施形態１のガスセンサ１（試験品）と、センサ素子２に絶縁層２２が設けられていないガスセンサ（比較品）とについて確認した。図１３には、センサ素子２の温度を適宜変化させたときに、ガスセンサ１のセンサ出力にどれだけ誤差が生じたかを示す。
【００７４】
センサ出力に生じる誤差は、センサ素子２の温度が変化したときに、検出ガスＧが理論空燃比にある場合のガスセンサ１の出力電圧（起電力）がどれだけ変化したかを、出力電圧のシフト量［Ｖ］によって示す。センサ素子２の温度は、センサ素子２の軸方向Ｌの先端側Ｌ１の部分から基端側Ｌ２の部分までの温度の平均値とした。また絶縁層２２の一般部の膜厚は１０μｍとした。
【００７５】
同図に示すように、試験品のガスセンサ１においては、センサ素子２の温度が約２７０℃以上約６００℃以下である高温の範囲において、出力電圧のシフト量はほぼ０（ゼロ）に近いことが分かった。一方、比較品のガスセンサにおいては、センサ素子２の温度が約３８０℃以上になると出力電圧のシフト量が発生し、センサ素子２の温度が高くなるほど、出力電圧のシフト量が増加することが分かった。この結果より、実施形態１の酸素濃度を検出するガスセンサ１により、センサ素子２の基準電極４Ｂと検出電極４Ａとの間に生じるリーク電流を抑え、センサ出力に、リーク電流によるオフセット誤差がほとんど生じないようにできることが分かった。
【００７６】
＜確認試験４＞
本試験においては、固体電解質体３の筒部３１の外側面３０１に設けられた絶縁層２２の厚みと、酸素センサとして用いられるガスセンサ１のセンサ出力に生じる誤差との関係を確認した。図１４には、絶縁層２２の厚み［μｍ］を適宜変化させたときに、実施形態１のガスセンサ１のセンサ出力にどれだけ誤差が生じたかを示す。センサ出力に生じる誤差は、絶縁層２２の厚みが変化したときに、検出ガスＧが理論空燃比にある場合のガスセンサ１の出力電圧（起電力）がどれだけ変化したかを、出力電圧のシフト量［Ｖ］によって示す。絶縁層２２の厚み及びセンサ素子２の温度については、確認試験２と同様である。
【００７７】
同図に示すように、絶縁層２２の厚みが薄くなるほど、出力電圧のシフト量が大きくなることが分かる。そして、絶縁層２２の厚みが４μｍよりも薄くなると、シフト量が急激に増加していることが分かる。絶縁層２２の厚みが４μｍよりも薄くなると、固体電解質体３の表面に形成された凹凸の凸部が絶縁層２２の表面に出現し、絶縁層２２によって、固体電解質体３と検出電極４Ａの装着電極部４３との絶縁を十分に行えなくなるためであると考える。そのため、絶縁層２２による絶縁効果を十分に得るためには、絶縁層２２の最小厚みを４μｍ以上とすることが好ましいと言える。
【００７８】
＜確認試験５＞
本試験においては、実施形態２に示したガスセンサ１について、絶縁層２２の基端側Ｌ２の端部におけるテーパ状表面２２１の傾斜角度θと、絶縁層２２における剥離、欠け等の欠陥の発生数との関係を確認した。この欠陥の発生数は、固体電解質体３の外側面３０１に端子金具７１を装着する際に、絶縁層２２に剥離又は欠けが生じたときにカウントした。剥離又は欠けの発生の有無の確認は、各傾斜角度θの場合について、２０回ずつ行った。
【００７９】
図１５に示すように、テーパ状表面２２１の傾斜角度θが６０°以下である場合には、絶縁層２２に剥離又は欠けが発生しないことが分かった。一方、テーパ状表面２２１の傾斜角度θが６０°を超える場合には、剥離又は欠けが数回発生することが分かった。この結果より、テーパ状表面２２１の傾斜角度θは６０°以下にすることにより、センサ素子２への端子金具７１の組付時に、絶縁層２２を保護することができると言える。
【符号の説明】
【００８０】
１  ガスセンサ
２  センサ素子
２２  絶縁層
３  固体電解質体
３１  筒部
３２  底部
４Ａ  検出電極
４１  検知電極部
４２  リード電極部
４３  装着電極部
４Ｂ  基準電極
７１  端子金具
【図１】
2018185289.tif 000003
【図２】
2018185289.tif 000004
【図３】
2018185289.tif 000005
【図４】
2018185289.tif 000006
【図５】
2018185289.tif 000007
【図６】
2018185289.tif 000008
【図７】
2018185289.tif 000009
【図８】
2018185289.tif 000010
【図９】
2018185289.tif 000011
【図１０】
2018185289.tif 000012
【図１１】
2018185289.tif 000013
【図１２】
2018185289.tif 000014
【図１３】
2018185289.tif 000015
【図１４】
2018185289.tif 000016
【図１５】
2018185289.tif 000017